(57)【特許請求の範囲】
【請求項１】
複数の測光領域と複数の焦点検出領域とを有するカメラにおいて、
前記複数の焦点検出領域の中から、焦点検出状態が所定の合焦範囲内にある複数の焦点検出領域を特定焦点検出領域として選択する焦点検出領域選択手段と、
前記焦点検出領域選択手段により前記特定焦点検出領域が複数選択されたときに、前記複数の測光領域のうち選択された前記特定焦点検出領域に対応する複数の特定測光領域の各輝度と、前記複数の測光領域のうち選択された前記特定測光領域以外の他の測光領域の平均輝度とを比較し、この差が最も小さい前記特定測光領域を決定する測光領域決定手段と、
前記測光領域決定手段によって決定された前記特定測光領域に対して、この特定測光領域以外の他の測光領域よりも大きな重み付けをかけて測光演算を行う演算手段と、を有することを特徴とするカメラ。
【請求項２】
前記測光領域決定手段は、記焦点検出領域選択手段により前記特定焦点検出領域が複数選択されたときに、前記複数の特定測光領域の各輝度と、前記複数の測光領域の平均輝度とを比較し、この差が最も小さい前記特定測光領域を決定することを特徴とする請求項１に記載のカメラ。
【発明の詳細な説明】
【０００１】
【発明の属する技術分野】
本発明は、被写界（ファインダー視野）を複数の領域に分割して測光するカメラに関するものである。
【０００２】
【従来の技術】
被写界を複数の領域に分割し、それぞれの領域毎の輝度信号を用いて撮影画面に適正露出を与えるようにしたカメラが種々提案されている。例えば、特開平３−２２３８２５号公報には、複数の測光領域毎の輝度を検出する一方、それぞれ独立に焦点検出が可能な複数の焦点検出領域から少なくとも１つの領域を選択し、複数の測光領域を選択された焦点検出領域を中心とした同心円状にグループ化してこれらグループ化された測光領域の平均輝度に対する重み付けを変えて被写界全体の測光値を演算するカメラが提案されている。
【０００３】
また、上記公報等により明らかなように，撮影主被写体位置に相当する測光領域の決定は、複数の焦点検出領域からの距離（焦点）情報が得られた場合には被写体距離が最も近距離である焦点検出領域が撮影すべき主被写体位置である、との判断に従ってこの焦点検出領域に対応した測光領域を選択することによって行われ、さらに決定された測光領域を最重視した重み付け測光演算を行う測光方式が一般的に用いられている。
【０００４】
【発明が解決しようとする課題】
しかしながら、上記測光方式では、被写界において主被写体がカメラに対し最も近距離にあることが前提となっており、この前提に合致しない場合も少なからず発生する。例えば、人物を撮影しようとした場合、人物の顔を最も最適な露出にするため、撮影画面上の人物の顔の位置に対応する測光領域を、測光演算の最も重み付けが高くなるように設定したいにもかかわらず、人物の体の一部がたまたま顔よりもカメラに近いという状況になっていると、カメラに最も近い体の一部に対応した焦点検出領域の選択がなされると同時に、この焦点検出領域に対応する測光領域が最大重み付け領域として決定される。そしてこれにより、人物の顔とは異なる位置、例えば人物の着ている服を重視した測光が行われてしまい、服の色や反射率に左右されて人物の顔に対し適正な露出制御が得られない可能性がある。
【０００５】
なお、撮影者の視線を検出して撮影者の考えている撮影すべき主被写体を指定することのできる機能をカメラに付加すれば、ほぼ正確に焦点検出領域および測光領域を選択することは可能であるが、カメラ製品としてのコストの上昇やスペース上の制約といった新たな問題が発生する。
【０００６】
そこで、本発明は、視線検出機能等を用いることなく、撮影画面内の複数の測光領域の中から撮影すべき主被写体中心に対応した測光領域を選択して、主被写体を重視した最適な測光を行えるようにしたカメラを提供することを目的としている。
【０００７】
【課題を解決するための手段】
上記の目的を達成するために、本発明では、複数の測光領域と複数の焦点検出領域とを有するカメラにおいて、複数の焦点検出領域の中から、焦点検出状態が所定の合焦範囲内にある複数の焦点検出領域を特定焦点検出領域として選択する焦点検出領域選択手段と、焦点検出領域選択手段により特定焦点検出領域が複数選択されたときに、複数の測光領域のうち選択された特定焦点検出領域に対応する複数の特定測光領域の各輝度と、複数の測光領域のうち選択された特定測光領域以外の他の測光領域の平均輝度とを比較し、この差が最も小さい特定測光領域を決定する測光領域決定手段と、測光領域決定手段によって決定された特定測光領域に対して、この特定測光領域以外の他の測光領域よりも大きな重み付けをかけて測光演算を行う演算手段と、を設けている。
【０００８】
具体的には、一般に主被写体のうち撮影中心部（顔等）の輝度が被写界全体の輝度や主被写体以外の部分の輝度に対して極端に異なっていることは少ないと考えられるため、複数の特定測光領域での各輝度と、全測光領域又は特定測光領域以外のすべての領域での平均輝度との差が最小となる特定測光領域を所定（最大）の重み付けをかける領域として決定することにより、カメラに最も近い位置に主被写体のうち撮影中心部以外の部分があっても、この部分の輝度に左右されずに撮影中心部の輝度に応じた適正露出が得られるようにしている。
【０００９】
【発明の実施の形態】
（第１実施形態）
図１〜図３には、本発明の第１実施形態である一眼レフカメラを示している。図１において、１は撮影レンズである。なお、図には２枚のレンズ１ａ，１ｂのみを示したが、実際はさらに多数のレンズを有している。２は主ミラーで、ファインダ系観察状態と撮影状態とに応じて撮影光路に対し斜設されたり退避されたりする。３はサブミラーで、主ミラー２を透過した光束をカメラボディの下方へ
向けて反射する。
【００１０】
４はシャッタである。５は感光部材で、銀塩フィルム又はＣＣＤやＭＯＳ型等の固体撮像素子やビディコン等の撮像管より成る。６は焦点検出部であり、結像面近傍に配置されたフィールドレンズ６ａ，反射ミラー６ｂ，６ｃ，２次結像レンズ６ｄ，絞り６ｅおよび複数のＣＣＤからなるラインセンサ６ｆ等から構成されている。
【００１１】
ここで、本実施形態における焦点検出部６は周知の位相差方式の焦点検出を行うものであり、図３のファインダ視野図に示すように、被写界内の複数の焦点検出領域Ｆ０〜Ｆ４（マーク７０〜７４に対応）にて焦点調節動作が可能に構成されている。
【００１２】
７は撮影レンズ１の予定結像面に配置されたピント板、８はファインダ光路変更用のペンタプリズムである。
【００１３】
９，１０はそれぞれ、被写界内の被写体輝度を測定するための結像レンズと測光センサで、結像レンズ９はペンタプリズム８内の反射光路を介してピント板７と測光センサ１０を共役に関係付けている。
【００１４】
ここで測光センサ１０は、図３に示すように、被写界内を１９個の測光領域Ｓ０〜Ｓ１８に分割して、各々の領域の輝度を検出することが可能な１９個の領域センサ（図２に示すブロック図上のＳＰＣ−０〜ＳＰＣ−１８）からなる１９分割センサである。また、図３に示すように、上記焦点検出領域Ｆ０〜Ｆ４はそれぞれ測光領域Ｓ０〜Ｓ４のほぼ重心に配置されている。なお、図３に示したファインダ視野内の各測光領域の境界線は測光センサ１０の分割状態をファインダ上に投影して示した仮想線であって、実際のファインダではこれらの線は見ることはできない。
【００１５】
１１はペンタプリズム８の射出面後方に配設された接眼レンズ１１であり、撮影者の眼によるピント板７の観察に使用される。そして、主ミラー２、ピント板７、ペンタプリズム８、接眼レンズ１１によってファインダ光学系が構成されている。
【００１６】
２１は明るい被写体の中でも視認できる高輝度ＬＥＤ（以下、ＳＩ−ＬＥＤと記す）で、中心波長６８０ナノメータの赤色光を発光する。さらに、２２は前記５個の焦点検出領域Ｆ０〜Ｆ４の位置をパターン化したＬＣＤ（以下、ＳＩ−ＬＣＤと記す）であり、後述する焦点検出領域選択がなされた位置に相当するＬＣＤのパターンのみを透過状態とする。ＬＣＤ後方のＬＥＤ２１から発せられた光は、ＳＩ−ＬＣＤ２２の前記透過パターンのみを通過し、投光レンズ２３、ダイクロイックミラ−２４を介し接眼レンズ１１を通って撮影者の眼球に到達する。これにより、撮影者はファインダー画面上で焦点検出領域表示パターンを目視することができる。つまり、図３に示したファインダ視野図から分かるように、焦点検出領域Ｆ０〜Ｆ４に対応するパターンの少なくとも１つがファインダ視野内で光り、選択がなされた焦点検出領域を表示させることができる。
【００１７】
ここで、ダイクロイックミラー２４は波長６８０ナノメータ以上の光を反射する特性を有しており、ＳＩ−ＬＥＤ２１の光を効率良く観察者の眼に導くとともに、撮影レンズからの光をほとんど光量落ちなしにファインダー被写界像として撮影者に観察させることができる。
【００１８】
２５はファインダ視野外に撮影情報を表示するためのファインダ内ＬＣＤ（以下、Ｆ−ＬＣＤと記す）で、照明用ＬＥＤ２６によって照明される。照明用ＬＥＤ２６にて発光した光は、Ｆ−ＬＣＤ２５を透過し三角プリズム２７によって図３に示すようにファインダ視野外に導かれる。これにより、撮影者は各種の撮影情報を知ることができる。ここで、２８はシャッタ速度表示、２９は絞り値表示、３０は撮影レンズ１の合焦状態を示す合焦マークである。
【００１９】
また、図１に示す３１は撮影レンズ１内に設けられた絞り、３２は後述する絞り駆動回路１１１を含む絞り駆動装置、３３はレンズ駆動用モータ、３４は駆動ギヤ等からなるレンズ駆動部材である。
【００２０】
３５はフォトカプラで、レンズ駆動部材３４に連動するパルス板３６の回転を検知してレンズ焦点調節回路１１０に伝える。焦点調節回路１１０は、この回転検知情報とカメラ側からのレンズ駆動量の情報とに基づいてレンズ駆動用モータ３３を所定量駆動させ、撮影レンズ１を合焦位置に移動させる。３７は公知のカメラとレンズとのインターフェイスとなるマウント接点である。
【００２１】
図２には、本実施形態のカメラの電気的構成を示している。１００はカメラ本体に内蔵されたマイクロコンピュータの中央処理装置（以下、ＣＰＵと記す）であり、このＣＰＵ１００には、測光回路１０２、自動焦点検出回路１０３、信号入力回路１０４、ＬＣＤ駆動回路１０５、ＬＥＤ駆動回路１０６、シャッタ制御回路１０８およびモータ制御回路１０９が接続されている。また、ＣＰＵ１００は、撮影レンズ１内に配置された焦点調節回路１１０、絞り駆動回路１１１とは図１で示したマウント接点３７を介して信号の伝達を行う。
【００２２】
ＣＰＵ１００にはＥＥＰＲＯＭ１００ａが付随しており、このＥＥＰＲＯＭ１００ａは各種調整データを記憶する記憶機能を有している。
【００２３】
測光回路１０２は、測光センサ１０から送られてくる１９個の領域センサＳＰＣ−０〜ＳＰＣ−１８の輝度信号を増幅後、対数圧縮、Ａ／Ｄ変換し、各センサの輝度情報としてＣＰＵ１００に送信する。
【００２４】
ラインセンサ６ｆは、ファインダ画面内の５個の焦点検出領域Ｆ０〜Ｆ４に対応した５組のラインセンサＣＣＤ−０〜ＣＣＤ−４によって構成される公知のＣＣＤラインセンサである。自動焦点検出回路１０３は、これらラインセンサ６ｆから得た電圧をＡ／Ｄ変換し、ＣＰＵ１００に送る。
【００２５】
ＳＷ１（１２）はレリーズボタンの第１ストロークでＯＮし、測光、ＡＦ、視線検出動作を開始させる測光スイッチであり、ＳＷ２（１３）はレリーズボタンの第２ストロークでＯＮするレリーズスイッチである。ＳＷ−ＤＩＡＬ１とＳＷ−ＤＩＡＬ２（１５）は、不図示の電子ダイヤル内に設けられたダイヤルスイッチで、このスイッチからの信号は信号入力回路１０４のアップダウンカウンターに入力され、アップダウンカウンターは電子ダイヤルの回転クリック量をカウントする。また、ＳＷ−ＡＦ（１４）は、焦点検出領域選択モードがカメラまかせの自動選択か、撮影者が手動で選択するかを切り換える焦点検出領域選択スイッチである。そして、これらスイッチの信号は信号入力回路１０４に入力された後、データバスによってＣＰＵ１００に送信される。
【００２６】
１０５は液晶表示素子ＬＣＤを表示駆動させるための公知のＬＣＤ駆動回路で、ＣＰＵ１００からの信号に従って絞り値、シャッタ秒時、設定した撮影モード等の表示を外部モニタ用ＬＣＤ２５ａとＦ−ＬＣＤ２５とスーパーインポーズ用のＳＩ−ＬＣＤ２２とを同時に制御し、情報を表示させる。ＬＥＤ駆動回路１０６は、Ｆ−ＬＥＤ２６とＳＩ−ＬＥＤ２１を点灯・点滅制御する。
【００２７】
シャッタ制御回路１０８は、通電されると先幕を走行させるマグネットＭＧー１と、後幕を走行させるマグネットＭＧ−２とを制御し、感光部材に所定光量を露光させる。モータ制御回路１０９は、フィルムの巻上げ、巻戻しを行なうモータＭ１と主ミラー２およびシャッタ４のチャージを行なうモータＭ２とを制御する。シャッタ制御回路１０８およびモータ制御回路１０９によって一連のカメラのレリーズシーケンスが制御される。
【００２８】
次に、本実施形態のカメラの動作を図４のフローチャートに従って説明する。カメラを不作動状態から所定の撮影モードに設定すると（本実施形態では、シャッタ優先ＡＥに設定された場合について説明する）、カメラの電源がＯＮされ（ステップ＃１００）、カメラはレリーズボタンが押し込まれてスイッチＳＷ１（１２）がＯＮされるまで待機する（ステップ＃１０１）。
【００２９】
レリーズボタンが押し込まれスイッチＳＷ１がＯＮされたことを信号入力回路１０４が検知すると、ＣＰＵ１００はカメラに装着されたレンズとの間で相互通信を行い、カメラが測光やＡＦを実行するのに必要なレンズ情報、例えば撮影レンズの開放Ｆナンバー、ベストピント位置等の情報がカメラのメモリに転送される（ステップ＃１０２）。
【００３０】
次に、５組のラインセンサＣＣＤ−０〜ＣＣＤ−４は被写界光の蓄積動作を開始し、現時点での撮影画面に対応したセンサ各々のデフォーカス量（像ズレ量）ＤＥＦ０〜ＤＥＦ４を算出する（ステップ＃１０３）。このデフォーカス量を求める過程は公知であり、ここでは説明を省略する。
【００３１】
次に焦点検出を行うために、焦点検出領域選択スイッチ（ＳＷ−ＡＦ）１４が自動モードになっているか手動モードになっているかの設定確認を行う（ステップ＃１０４）。ここで焦点検出領域選択が自動モードに設定されていたならば、前記５個の焦点検出領域Ｆ０〜Ｆ４におけるデフォーカス量ＤＥＦ０〜ＤＥＦ４を基に、焦点検出領域自動選択サブルーチン（ステップ＃１０５）によって特定の焦点検出領域を選択する。
【００３２】
焦点検出領域自動選択におけるサブルーチンのアルゴリズムとしてはいくつかの方法が考えられるが、多点ＡＦカメラでは公知となっている中央焦点検出領域に重み付けを置いた近点優先アルゴリズムが有効である。なお、焦点検出領域選択スイッチ１４をＯＮすることにより焦点検出領域選択手動モードに入る。このモードでは、撮影者がスイッチダイヤル（ＳＷ−ＤＩＡＬ１、２）１５の操作を通じて５個の焦点検出領域はＦ０〜Ｆ４のうちの１個を選択する任意選択が可能である（ステップ＃１０６）。
【００３３】
こうして自動又は手動により焦点検出領域（特定焦点検出領域の１つ）が確定すると（ステップ＃１０７）、次に確定した焦点検出領域において自動焦点検出回路１０３に焦点検出演算を行わせ、この領域で焦点検出可能であるか否かを判定する（ステップ＃１０８）。焦点検出不可能であれば、ＣＰＵ１００はＬＣＤ駆動回路１０５に信号を送ってＦ−ＬＣＤ２５の合焦マーク３０を点滅させ、焦点検出が不可能であることを撮影者に警告する。一方、焦点検出可能であり、所定のアルゴリズムで選択された焦点検出領域の焦点検出状態（デフォーカス量）が合焦状態でなければ、ＣＰＵ１００は焦点調節回路１１０に信号を送って所定量撮影レンズ１を駆動させる（ステップ＃１０９）。
【００３４】
レンズ駆動後、再度焦点検出領域のデフォーカス量を測定し、所定の合焦幅内にピントずれが収まっているか否かで撮影レンズ１が合焦しているか否かの判定を行う（ステップ＃１１０）。確定した焦点検出領域において撮影レンズ１が合焦していたならば、ＣＰＵ１００はＬＣＤ駆動回路１０５に信号を送ってＦ−ＬＣＤ２５の合焦マーク３０を点灯させるとともに、ＬＥＤ駆動回路１０６にも信号を送って合焦している焦点検出領域に対応したＳＩ−ＬＥＤ２１を点灯させ、この焦点検出領域に対応するセグメントを光らせることで合焦表示させる。また、同時にＣＰＵ１００は測光回路１０２に信号を送信して測光を行なわせる（ステップ＃１１１）。このとき、主被写体位置（合焦した焦点検出領域）に対応した測光領域に重み付けを置いた測光演算を行うが、測光演算の詳細は後述する。そして、演算結果をセグメントと小数点を用いて撮影レンズ絞り値（例えば、Ｆ５．６）２９を表示する。
【００３５】
次に、撮影者が該焦点検出領域でのピント状態と測光値を容認しているか否かの判定をＳＷ１のＯＮ，ＯＦＦで判定し（ステップ＃１１２）、さらにレリーズボタンが押し込まれてスイッチＳＷ２がＯＮされているかどうかの判定を行なって、スイッチＳＷ２がＯＦＦ状態であれば再びスイッチＳＷ１の状態の確認を行なう（ステップ＃１１３）。
【００３６】
スイッチＳＷ２がＯＮされたときは、ＣＰＵ１００はシャッタ制御回路１０８、モータ制御回路１０９および絞り駆動回路１１１にそれぞれ信号を送信する。シャッタ制御回路１０８はモータＭ２に通電して主ミラー２をアップ（退避）させ、絞り駆動回路１１１により絞り３１が絞り込まれた後、マグネットＭＧ−１に通電してシャッタ４の先幕を開放する。絞り３１の絞り値およびシャッタ４のシャッタスピードは、測光回路１０２にて検知された測光値とフィルム５の感度とから決定される。
【００３７】
そして、所定のシャッター秒時（１／１２５秒）経過後、シャッタ制御回路１０８はマグネットＭＧ−２に通電し、シャッタ４の後幕を閉じる。こうしてフィルム５への露光が終了すると、シャッタ制御回路１０８はマグネットＭＧ−２に再度通電し、ミラーダウン、シャッターチャージを行なうとともにモータ制御回路１０９がモータＭ１に通電し、フィルムのコマ送りを行ない、一連のシャッターレリーズシーケンスの動作を終了する（ステップ＃１１４）。
【００３８】
この後、カメラは再びスイッチＳＷ１がＯＮされるまで待機する（ステップ＃１０１にリターンする）。
【００３９】
次に、上記測光演算（ステップ＃１１１）について図５のフローチャートおよび図６のファインダー視野図を用いて詳しく説明する。なお、図６は、本測光演算が効果を発揮するカメラの撮影シーンの一例を示したものである。
【００４０】
図６において、まず主被写体の身体の一部に相当する焦点検出領域Ｆ１がカメラの近点優先の焦点検出領域自動選択によって決定し、カメラの撮影レンズ１の焦点調節動作はこの焦点検出領域Ｆ１に対して行われ、前述したステップ＃１１０にて合焦状態に至る。このとき、以下の測光演算動作を行う。
【００４１】
まず、ＣＰＵ１００は測光演算を実行するのに、最初に測光センサ１０の測光回路から送られてくる１９個の分割センサ出力（被写体輝度生信号）を取り込んで出力のＡＤ変換を行う（ステップ＃２００）。
【００４２】
次に、ステップ＃１０２のレンズ通信で得られた撮影レンズ１のレンズ情報である開放Ｆナンバー値、周辺光量落ち等のデータを用いて、ＡＤ変換された分割センサ出力に補正を行い、撮影被写体の正しい輝度信号値に変換する。以降、これら各測光領域Ｓ０〜Ｓ１８の補正後の輝度信号値をｅ０〜ｅ１８とする（ステップ＃２０１）。
【００４３】
次に、焦点検出領域選択スイッチ１４がＯＮしているか否かで、焦点検出領域選択モードが自動選択か手動選択かの判断を行う（ステップ＃２０２）。
【００４４】
焦点検出領域選択モードが自動選択に設定されているときは、ステップ＃１０９で行われた撮影レンズ１駆動後のデフォーカス量再測定より得られた焦点検出領域Ｆ０〜Ｆ４のデフォーカス量において、ステップ＃１０７で確定した焦点検出領域と他の焦点検出領域のデフォーカス量とを比較して所定の合焦幅に入っている他の焦点検出領域（もう１つの特定焦点検出領域）を選択する許容焦点検出領域選択動作を行う（ステップ＃２０３）。
【００４５】
図６の例では、まず焦点検出領域Ｆ１に対して焦点調節がなされた状態において、焦点検出領域Ｆ１のデフォーカス量とＦ１以外の焦点検出領域のデフォーカス量との差をとることで、撮影フィルム面上での各焦点検出領域のピントずれ量、言い換えれば被写界の距離情報が算出される。また、撮影レンズ１の開放Ｆナンバー値から撮影フィルム面上での許容可能なピントずれ量、いわゆる深度は、３５ｍｍ銀塩写真フィルムの場合、最小錯乱円径を０．０３５ｍｍとして、
±Ｆナンバー×０．０３５ｍｍ
で表すことができるので、この値を許容合焦幅として焦点検出領域Ｆ１以外の焦点検出領域の選択を行う。この結果、図６においては、主被写体の顔の位置に相当する焦点検出領域Ｆ２がＦ１以外に新たに許容された焦点検出領域となっている（ステップ＃２０３）。
【００４６】
次に、許容焦点検出領域として最終的に選択された焦点検出領域が１つだけか複数かの判定を行い（ステップ＃２０４）、図６のようにＦ１とＦ２の２つの場合は、測光領域選択手段▲１▼を実施する。
【００４７】
測光領域選択手段▲１▼では、まず最初に上記許容焦点検出領域として選択された焦点検出領域Ｆ１、Ｆ２に対応する測光領域Ｓ１、Ｓ２（特定測光領域）がそれぞれ選択される。次に測光領域Ｓ１、Ｓ２に対応した輝度信号値ｅ１、ｅ２と１９個の測光領域の輝度値の平均値であるＥａｖとの差の絶対値が少ない測光領域が、測光演算を行う上での重要領域として確定される（ステップ＃２０５）。
【００４８】
ここでの測光領域の選択は、適正露光を行いたい撮影対象である主被写体の中心となる領域に相当する測光領域を選択することを意味している。本来、適正露光を与えたい主被写体領域が撮影構図の中で全体の輝度値に対して極端に値が異なっている確率は一般的に低いと考えられる。従って、主被写体が着ている服の色が黒あるいは白のように反射率が極端な場合、この服の位置に相当する測光領域はステップ＃２０５の選択手段▲１▼によって排除され、主被写体の顔の位置にある測光領域が優先的に選択され、主被写体に適正な露光がなされることになる。つまり、図６の例では、
｜ｅ１−Ｅａｖ｜＞｜ｅ２−Ｅａｖ  ｜
ただし  Ｅａｖ＝（ｅ０＋ｅ１＋ｅ２＋〜ｅ１８）／１９
という結果が得られ、測光領域選択手段▲１▼では主被写体の顔の位置にある測光領域Ｓ２が選択される。
【００４９】
なお、本実施形態では、計算の簡略化のために、選択された複数の測光領域の輝度値を１９個の測光領域の輝度値の平均値であるＥａｖと比較して１つの測光領域を確定したが、選択された複数の測光領域の各々の輝度値を除いた平均値と比較した方がその輝度自体を含まないので、測光領域選択の精度をより高めることができる。この場合、図６の例では、
｜ｅ１−Ｅａｖ１｜＞｜ｅ２−Ｅａｖ２｜
ただし  Ｅａｖ１＝（ｅ０＋ｅ２＋ｅ３＋〜ｅ１８）／１８
Ｅａｖ２＝（ｅ０＋ｅ１＋ｅ３＋〜ｅ１８）／１８
という結果が得られる。
一方、ステップ＃２０２で焦点検出領域選択モードが手動選択に設定されているときは、測光領域選択手段▲２▼に進む（ステップ＃２０６）。また、ステップ＃２０４において、許容焦点検出領域が１つのみであるときは、同様に測光領域選択手段▲２▼に進む。
【００５０】
測光領域選択手段▲２▼においては、焦点検出領域選択の自動あるいは手動動作によって焦点検出領域が１個のみ決定しているので、この焦点検出領域に対応した測光領域が１つだけ無条件に選択される。
【００５１】
以上のようにしてステップ＃２０５又はステップ＃２０６の各測光領域選択手段によって測光領域Ｓ０〜Ｓ４のうちいずれか１つが測光演算を行う上での重要な測光領域として確定される（ステップ＃２０７）。
【００５２】
次に、確定した測光領域に対し最も大きな重み付けを置いた測光演算を以下の方法で行う。測光演算式は、上記ステップ＃２０７において最大の重み付けを置く測光領域が測光領域Ｓ０〜Ｓ４の中から１つ決定されることから、結果的に５つの演算式に分類することができる。
【００５３】
ここでは、上記例に従って、測光領域Ｓ２が確定した場合を想定して説明し、他のＳ０、Ｓ１、Ｓ３、Ｓ４の小領域が確定した場合については、最終的な測光演算式のみを提示する。
【００５４】
ステップ＃２０７にて測光領域Ｓ２が確定すると、全測光領域Ｓ０〜Ｓ１８は測光演算を行うために測光領域Ｓ２を中心とした同心円状にＡ，Ｂ，Ｃの３つのグループに大別される。まず、測光領域Ｓ２のみがＡグループに、測光領域Ｓ２を取り囲む測光領域Ｓ０，Ｓ４，Ｓ９，Ｓ１０がＢグループに、そしてその他の測光領域Ｓ１，Ｓ３，Ｓ５〜Ｓ８，Ｓ１１〜Ｓ１８がＣグループに設定される。次に、各測光領域の面積を考慮して上記Ａ，Ｂ，Ｃの各グループの重み付けを行う。各測光領域の概略面積比は、測光センサの受光面積そのものであるので以下の通りになる。
【００５５】
（Ｓ０，Ｓ１，Ｓ２，Ｓ３，Ｓ４）：（Ｓ５，Ｓ６，Ｓ７，Ｓ８，Ｓ９，Ｓ１０）：（Ｓ１１，Ｓ１２，Ｓ１３，Ｓ１４）：（Ｓ１５，Ｓ１６，Ｓ１７，Ｓ１８）＝３：２：４：１２
これより上記各グループの平均輝度：ＥＡ２，ＥＢ２，ＥＣ２は、以下のように求めることができる。
【００５６】
0003912853.tif 000002
ここで、ｅ０〜ｅ１８はそれぞれ測光領域Ｓ０〜Ｓ１８に対応した測光出力（輝度）である。
【００５７】
さらに、主被写体位置がＡグループにあると考えられるため、Ａを重視した重み付けをＡ：Ｂ：Ｃ＝３：２：１とすることで、主被写体を重視した測光を行うことができる。
【００５８】
以上のことより、主被写体を重視した測光値（露出値）Ｅを以下の式で得ることができる。
【００５９】
Ｅ＝（３ＥＡ＋２ＥＢ＋ＥＣ）／６    （単位：ＢＶ）…▲４▼
以上の▲１▼〜▲４▼の測光演算式と同様の式を用いれば、ステップ＃２０７により測光領域Ｓ２以外のいずれが選択された場合でも測光値を求めることが可能であり、以下にその演算式を示す。またいずれの場合も、▲４▼式は共通である。
【００６０】
測光領域Ｓ０が確定した場合
ＥＡ０＝ｅ０
ＥＢ０＝｛３（ｅ１＋ｅ２）＋２（ｅ５＋ｅ６）｝／１０
ＥＣ０＝｛３（ｅ３＋ｅ４）＋２（ｅ７＋ｅ８＋ｅ９＋ｅ１０）＋４（ｅ１１＋ｅ１２＋ｅ１３＋ｅ１４）＋１２（ｅ１５＋ｅ１６＋ｅ１７＋ｅ１８）｝／７８
測光領域Ｓ１が確定した場合
ＥＡ１＝ｅ１
ＥＢ１＝｛３（ｅ０＋ｅ３）＋２（ｅ７＋ｅ８）｝／１０
ＥＣ１＝｛３（ｅ２＋ｅ４）＋２（ｅ５＋ｅ６＋ｅ９＋ｅ１０）＋４（ｅ１１＋ｅ１２＋ｅ１３＋ｅ１４）＋１２（ｅ１５＋ｅ１６＋ｅ１７＋ｅ１８）｝／７８
測光領域Ｓ３が確定した場合
ＥＡ３＝ｅ３
ＥＢ３＝｛３ｅ１＋４（ｅ１１＋ｅ１２）｝／１１
ＥＣ３＝｛３（ｅ０＋ｅ２＋ｅ４）＋２（ｅ５＋ｅ６＋ｅ７＋ｅ８＋ｅ９＋ｅ１０）＋４（ｅ１３＋ｅ１４）＋１２（ｅ１５＋ｅ１６＋ｅ１７＋ｅ１８）｝／７７
測光領域Ｓ４が確定した場合
ＥＡ４＝ｅ４
ＥＢ４＝｛３ｅ２＋４（ｅ１３＋ｅ１４）｝／１１
ＥＣ４＝｛３（ｅ０＋ｅ１＋ｅ３）＋２（ｅ５＋ｅ６＋ｅ７＋ｅ８＋ｅ９＋ｅ１０）＋４（ｅ１１＋ｅ１２）＋１２（ｅ１５＋ｅ１６＋ｅ１７＋ｅ１８）｝／７７
また、仮にステップ＃２０５の測光小領域選択手段▲１▼の輝度値比較において、｜ｅ１−Ｅａｖ｜＝｜ｅ２−Ｅａｖ  ｜
という結果が得られた場合は、もともと輝度差の少ない撮影主被写体であると判断し、ステップ＃２０２で得られた１つの焦点検出領域に対応した測光領域を選択する。つまり、図６の例では、測光領域Ｓ１が選択され上記式にて測光値が求められる。
【００６１】
従って、上記▲１▼〜▲４▼式の演算を実行することで、主被写体の顔の輝度に重み付けを置いた測光演算値を得ることが可能となり、ステップ＃１１４の撮影動作において、主被写体の顔の輝度に応じた適正露出を得ることができる。
【００６２】
【発明の効果】
以上説明したように、本発明によれば、主被写体に対応する測光領域として選択された複数の特定測光領域の中から、主被写体のうち撮影中心にしたい部分に対応する領域を各測光領域の輝度比較によって決定して、この測光領域に最大の重み付けをかけた測光演算を行うことができるので、主被写体のうち撮影中心部以外の部分がカメラに最も近い場合でも、この部分の輝度に左右されずに、しかも視線検出機能等を用いることなく、撮影中心部の輝度に応じた適正な露出を得ることができる。
【図面の簡単な説明】
【図１】本発明の第１実施形態である一眼レフカメラの概略構成図である。
【図２】上記カメラの電気回路図である。
【図３】上記カメラのファインダー視野図である。
【図４】上記カメラの動作フローチャートである。
【図５】上記カメラの測光演算フローチャートである。
【図６】上記カメラの撮影構図例である。
【符号の説明】
１：撮影レンズ
６：焦点検出部
６ｆ：イメージセンサ
７：ピント板
１０：測光センサ
１１：接眼レンズ
Ｆ０〜Ｆ４：焦点検出領域
Ｓ０〜Ｓ１８：測光領域
１００：ＣＰＵ
１０２：測光回路
１０３：焦点検出回路
【図１】
0003912853.tif 000003
【図２】
0003912853.tif 000004
【図３】
0003912853.tif 000005
【図４】
0003912853.tif 000006
【図５】
0003912853.tif 000007
【図６】
0003912853.tif 000008